(57)【要約】【課題】ハウジングとインナーパネルとの間に形成される隙間から漏れ光が発生することを防止した車両用灯具を提供する。【解決手段】前面が開口したハウジング２Ａと、ハウジング２Ａの開口を覆うレンズカバー３Ａとにより構成される灯体４Ａの内側に、前方に向けて光を出射する光源ユニット５Ａと、光源ユニット５Ａの前面側の周囲を覆うインナーパネル６Ａとが配置された車両用灯具１Ａであって、ハウジング２Ａとインナーパネル６Ａとの間に形成される隙間Ｓから漏れ出す光を遮蔽する遮光ペースト２０を備える。【選択図】図１
2020013755.tif 000002
【特許請求の範囲】
【請求項１】
前面が開口したハウジングと、ハウジングの開口を覆うレンズカバーとにより構成される灯体の内側に、前方に向けて光を出射する光源ユニットと、前記光源ユニットの前面側の周囲を覆うインナーパネルとが配置された車両用灯具であって、
前記ハウジングと前記インナーパネルとの間に形成される隙間から漏れ出す光を遮蔽する遮光ペーストを備えることを特徴とする車両用灯具。
【請求項２】
前記遮光ペーストは、前記インナーパネルの背面側に配置されていることを特徴とする請求項１に記載の車両用灯具。
【請求項３】
前記遮光ペーストの少なくとも一部は、前記隙間に充填されていることを特徴とする請求項１又は２に記載の車両用灯具。
【請求項４】
前記遮光ペーストは、発泡性を有することを特徴とする請求項１〜３の何れか一項に記載の車両用灯具。
【請求項５】
前記遮光ペーストは、熱硬化性樹脂からなることを特徴とする請求項１〜４の何れか一項に記載の車両用灯具。
【発明の詳細な説明】
【技術分野】
【０００１】
本発明は、車両用灯具に関する。
【背景技術】
【０００２】
従来より、前面が開口したハウジングと、ハウジングの開口を覆うレンズカバーとにより構成される灯体の内側に、前方に向けて光を出射する光源ユニットと、光源ユニットの前面側の周囲を覆うインナーパネルとが配置された車両用灯具がある（例えば、下記特許文献１を参照。）。
【先行技術文献】
【特許文献】
【０００３】
【特許文献１】特開２０１５−１０３３９０号公報
【発明の概要】
【発明が解決しようとする課題】
【０００４】
ところで、上述した従来の車両用灯具では、ハウジングとインナーパネルとの間に形成される隙間から光が漏れ出す、いわゆる漏れ光が発生することがある。このため、漏れ光対策として、ハウジングとインナーパネルとの間にリブによる迷路構造を設けて、隙間からの漏れ光を防止することが行われている。
【０００５】
しかしながら、このような漏れ光対策では、ハウジングとインナーパネルとの間に複雑な構造を設けなければならず、ハウジングやインナーパネルを成形する金型も複雑化することになる。また、成形時のバラツキや組立誤差によって、隙間から漏れ光が発生することもある。
【０００６】
本発明は、このような従来の事情に鑑みて提案されたものであり、ハウジングとインナーパネルとの間に形成される隙間から漏れ光が発生することを防止した車両用灯具を提供することを目的とする。
【課題を解決するための手段】
【０００７】
上記目的を達成するために、本発明は以下の手段を提供する。
〔１〕  前面が開口したハウジングと、ハウジングの開口を覆うレンズカバーとにより構成される灯体の内側に、前方に向けて光を出射する光源ユニットと、前記光源ユニットの前面側の周囲を覆うインナーパネルとが配置された車両用灯具であって、
前記ハウジングと前記インナーパネルとの間に形成される隙間から漏れ出す光を遮蔽する遮光ペーストを備えることを特徴とする車両用灯具。
〔２〕  前記遮光ペーストは、前記インナーパネルの背面側に配置されていることを特徴とする前記〔１〕に記載の車両用灯具。
〔３〕  前記遮光ペーストの少なくとも一部は、前記隙間に充填されていることを特徴とする前記〔１〕又は〔２〕に記載の車両用灯具。
〔４〕  前記遮光ペーストは、発泡性を有することを特徴とする前記〔１〕〜〔３〕の何れか一項に記載の車両用灯具。
〔５〕  前記遮光ペーストは、熱硬化性樹脂からなることを特徴とする前記〔１〕〜〔４〕の何れか一項に記載の車両用灯具。
【発明の効果】
【０００８】
以上のように、本発明によれば、ハウジングとインナーパネルとの間に形成される隙間から漏れ光が発生することを防止した車両用灯具を提供することが可能である。
【図面の簡単な説明】
【０００９】
【図１】本発明の第１の実施形態に係る車両用灯具の構成を示す断面図である。
【図２】本発明の第２の実施形態に係る車両用灯具の構成を示す断面図である。
【発明を実施するための形態】
【００１０】
以下、本発明の実施形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らないものとする。
【００１１】
（第１の実施形態）
先ず、本発明の第１の実施形態として、例えば図１に示す車両用灯具１Ａについて説明する。なお、図１は、車両用灯具１Ａの構成を示す断面図である。
【００１２】
また、以下に示す図面では、ＸＹＺ直交座標系を設定し、Ｘ軸方向を車両用灯具１Ａの前後方向（長さ方向）、Ｙ軸方向を車両用灯具１Ａの左右方向（幅方向）、Ｚ軸方向を車両用灯具１Ａの上下方向（高さ方向）として、それぞれ示すものとする。
【００１３】
本実施形態の車両用灯具１Ａは、例えば、車両（図示せず。）の前端側の両コーナー部に搭載される車両用前照灯（ヘッドランプ）に本発明を適用したものである。
【００１４】
なお、以下の説明において、「前」「後」「左」「右」「上」「下」との記載は、特に断りのない限り、車両用灯具１Ａを正面（車両前方）から見たときのそれぞれの方向を意味するものとする。
【００１５】
具体的に、この車両用灯具１Ａは、前面が開口したハウジング２Ａと、ハウジング２Ａの開口を覆う透明なレンズカバー３Ａとにより構成される灯体４Ａの内側に、車両前方（＋Ｘ軸方向）に向けて光を出射する光源ユニット５Ａと、光源ユニット５Ａの前面側の周囲を覆うインナーパネル６Ａとが配置された構造を有している。
【００１６】
光源ユニット５Ａは、光源（図示せず。）と、光源から出射された光Ｌを導光させる導光体７と、導光体７が取り付けられる導光体取付部８とを概略備えている。
【００１７】
光源は、例えば白色光（以下、単に光という。）Ｌを発するチップＬＥＤ（ＳＭＤ ＬＥＤ）からなる。また、チップＬＥＤには、車両照明用の高出力（高輝度）タイプのものを使用している。光源は、導光体７に向けて光Ｌを放射状に出射する。
【００１８】
導光体７は、車両用灯具１Ａのインナーレンズとして、棒状の光透過性部材からなる。なお、導光体７には、例えばポリカーボネイトやアクリル等の透明樹脂やガラスなど、空気よりも屈折率の高い材質のものを用いることができる。
【００１９】
光源ユニット５Ａでは、光源から出射された光Ｌを導光体７の一端側から入射し、導光体７の内部で反射を繰り返しながら、導光体７の他端側に向けて光Ｌを導光させながら、導光体７の前面側に設けられた発光面７ａを発光させる。発光面７ａは、導光体７の背面に複数の反射カット（図示せず。）を設けて、これら複数の反射カットで反射された光Ｌを導光体７の前面側から出射することによって発光する。
【００２０】
なお、複数の反射カットは、導光体７の背面に入射した光Ｌを導光体７の前面に対して臨界角未満となる角度で反射させるものであればよく、その形状や大きさ、数等について、特に限定されるものではない。
【００２１】
また、導光体７は、この導光体７の上端面から後方に向けて延出された延出部７ｂを有している。延出部７ｂには、複数の係止孔７ｃが導光体７の延長方向に並んで設けられている。
【００２２】
導光体取付部８は、導光体７の背面に沿って配置されると共に、その上面から突出された複数の係止突部８ａを有している。導光体７は、複数の係止孔７ｃに複数の係止突部８ａが係止されることによって、導光体取付部８に取り付けられている。
【００２３】
インナーパネル６Ａは、エクステンションとして、遮光性を有する黒色の樹脂成形体からなる。インナーパネル６Ａは、導光体７の発光面７ａを外方（前方）に臨ませる開口部６ａを有している。また、インナーパネル６Ａは、導光体７の発光面７ａを除く、この導光体７の前面側の周囲を覆う構成となっている。
【００２４】
本実施形態の車両用灯具１Ａは、ハウジング２Ａとインナーパネル６Ａとの間に形成される隙間Ｓから漏れ出す光を遮蔽する遮光ペースト２０を備えている。
【００２５】
遮光ペースト２０は、例えば、発泡ウレタンフォームなどの発泡性を有する熱硬化性樹脂からなる。遮光ペースト２０は、ペーストの状態で塗布した後に、アニール処理等により熱を加えることで、その形状を維持したまま硬化させることが可能である。また、遮光ペースト２０は、発泡性を有することで、軽量であり、なお且つ、形状への追従性に優れている。
【００２６】
遮光ペースト２０は、インナーパネル６Ａの背面側に配置されている。すなわち、この遮光ペースト２０は、ハウジング２Ａとインナーパネル６Ａとの内側から隙間Ｓを覆うように配置されている。また、遮光ペースト２０の少なくとも一部は、隙間Ｓに充填されていてもよい。
【００２７】
本実施形態の車両用灯具１Ａでは、このような遮光ペースト２０を用いることによって、ハウジング２Ａとインナーパネル６Ａとの間に形成される隙間Ｓからの漏れ光を防止することが可能である。
【００２８】
また、本実施形態の車両用灯具１Ａでは、従来のようなハウジング２Ａとインナーパネル６Ａとの間に複雑な迷路構造を設ける必要がなく、成形時のバラツキや組立誤差によって、ハウジング２Ａとインナーパネル６Ａとの間に隙間Ｓが生じた場合でも、遮光ペースト２０によって、この隙間Ｓを遮光することが可能である。さらに、遮光ペースト２０は、ハウジング２Ａとインナーパネル６Ａとの間の形状に追従するため、ハウジング２Ａとインナーパネル６Ａとの突合せ部分に負荷を加えることなく、隙間Ｓを遮光することが可能である。
【００２９】
（第２の実施形態）
次に、本発明の第２の実施形態として、例えば図２に示す車両用灯具１Ｂについて説明する。なお、図２は、車両用灯具１Ｂの構成を示す断面図である。
【００３０】
また、以下に示す図面では、ＸＹＺ直交座標系を設定し、Ｘ軸方向を車両用灯具１Ｂの前後方向（長さ方向）、Ｙ軸方向を車両用灯具１Ｂの左右方向（幅方向）、Ｚ軸方向を車両用灯具１Ｂの上下方向（高さ方向）として、それぞれ示すものとする。
【００３１】
本実施形態の車両用灯具１Ｂは、例えば、車両（図示せず。）の前端側の両コーナー部に搭載される車両用前照灯（ヘッドランプ）に本発明を適用したものである。
【００３２】
なお、以下の説明において、「前」「後」「左」「右」「上」「下」との記載は、特に断りのない限り、車両用灯具１Ｂを正面（車両前方）から見たときのそれぞれの方向を意味するものとする。
【００３３】
具体的に、この車両灯具１Ｂは、前面が開口したハウジング２Ｂと、ハウジング２Ｂの開口を覆う透明なレンズカバー３Ｂとにより構成される灯体４Ｂの内側に、車両前方（＋Ｘ軸方向）に向けて光を出射する光源ユニット５Ｂと、光源ユニット５Ｂの前面側の周囲を覆うインナーパネル６Ｂとが配置された構造を有している。
【００３４】
光源ユニット５Ｂは、光源ランプ９と、光源ランプ９から出射された光Ｌを車両前方に向けて反射するリフレクター１０とを備えている。また、光源ランプ９は、ハウジング２Ｂの背面側から着脱自在（交換可能）に取り付けられている。
【００３５】
インナーパネル６Ｂは、光源ユニット５Ｂの前面を外方（前方）に臨ませる開口部６ｂを有している。また、インナーパネル６Ｂは、光源ユニット５Ｂの前面を除く、この導光体７の前面側の周囲を覆う構成となっている。
【００３６】
本実施形態の車両用灯具１Ｂは、上記車両用灯具１Ａと同様に、ハウジング２Ｂとインナーパネル６Ｂとの間に形成される隙間Ｓから漏れ出す光を遮蔽する遮光ペースト２０を備えている。
【００３７】
遮光ペースト２０は、インナーパネル６Ｂの背面側に配置されている。すなわち、この遮光ペースト２０は、ハウジング２Ｂとインナーパネル６Ｂとの内側から隙間Ｓを覆うように配置されている。また、遮光ペースト２０の少なくとも一部は、隙間Ｓに充填されていてもよい。
【００３８】
本実施形態の車両用灯具１Ｂでは、このような遮光ペースト２０を用いることによって、ハウジング２Ｂとインナーパネル６Ｂとの間に形成される隙間Ｓからの漏れ光を防止することが可能である。
【００３９】
また、本実施形態の車両用灯具１Ｂでは、従来のようなハウジング２Ｂとインナーパネル６Ｂとの間に複雑な迷路構造を設ける必要がなく、成形時のバラツキや組立誤差によって、ハウジング２Ｂとインナーパネル６Ｂとの間に隙間Ｓが生じた場合でも、遮光ペースト２０によって、この隙間Ｓを遮光することが可能である。さらに、遮光ペースト２０は、ハウジング２Ｂとインナーパネル６Ｂとの間の形状に追従するため、ハウジング２Ｂとインナーパネル６Ｂとの突合せ部分に負荷を加えることなく、隙間Ｓを遮光することが可能である。
【００４０】
なお、本発明は、上記実施形態のものに必ずしも限定されるものではなく、本発明の趣旨を逸脱しない範囲において種々の変更を加えることが可能である。
例えば、上記実施形態では、車両用前照灯（ヘッドランプ）に本発明を適用した場合を例示したが、本発明が適用される車両用灯具については、上述したフロント側の車両用灯具に限らず、例えばリアコンビネーションランプなどのリア側の車両用灯具に本発明を適用することも可能である。
【００４１】
また、本発明が適用される車両用灯具が備える光源ユニットについては、上述した車両用前照灯（ヘッドランプ）に限らず、例えば、車幅灯（ポジションランプ）、補助前照灯（サブヘッドランプ）、前部（後部）霧灯（フォグランプ）、昼間点灯用（デイタイム・ランニング）ランプ、テールランプ（尾灯）、リッドランプ、ブレーキランプ（ストップランプ）、バックランプ、方向指示器（ウィンカーランプ）など、特に限定されるものではない。
【符号の説明】
【００４２】
１Ａ，１Ｂ…車両用灯具  ２Ａ，２Ｂ…ハウジング  ３Ａ，３Ｂ…レンズカバー  ４Ａ，４Ｂ…灯体  ５Ａ，５Ｂ…光源ユニット  ６Ａ，６Ｂ…インナーパネル  ２０…遮光ペースト  Ｓ…隙間
【図１】
2020013755.tif 000003
【図２】
2020013755.tif 000004